(57)【要約】【課題】  電球が発光される際に発生する熱エネルギーを有効に利用することができる加温照明装置を提供する。【解決手段】  開口４を有する加温照明装置本体６と、加温照明装置本体６の内部に配設される電球８と、加温照明装置本体６の開口４に取り付けられる透光カバー体１０と、透光カバー体１０の内側に収容される飲食料用容器１２を載置するための載置手段１４と、を備える。載置手段１４には、電球８からの光を通すための透光用開口４８と、電球８からの熱を通すための伝熱用開口４６と、が設けられており、電球８からの光は、透光用開口４８を通して下方から上方に向けて照射され、また電球８からの熱は、伝熱用開口４６を通して飲食料用容器１２に直接的に伝達される。【選択図】  図２
0003115595.tif 000002
【実用新案登録請求の範囲】
【請求項１】
開口を有する加温照明装置本体と、前記加温照明装置本体の内部に配設される電球と、前記加温照明装置本体の前記開口に取り付けられる透光カバー体と、前記透光カバー体の内側に収容される飲食料用容器を載置するための載置手段と、を備え、
前記載置手段には、前記電球からの光を通すための透光用開口が設けられており、前記電球からの光は、前記透光用開口を通して下方から上方に向けて照射され、また前記電球からの熱は、前記載置手段を介して前記飲食料用容器に伝達されることを特徴とする加温照明装置。
【請求項２】
前記載置手段には、前記電球からの熱を通すための伝熱用開口が設けられ、前記伝熱用開口の周囲には、前記透光用開口が複数配設されており、
前記電球からの熱は、前記伝熱用開口を通して前記飲食料用容器に直接的に伝達されることを特徴とする請求項１に記載の加温照明装置。
【請求項３】
前記載置手段は、下板部と、前記下板部の外周部より上方に向かって延びる周壁部と、前記周壁部の上端部より径方向外方に延びる係止部と、から構成されており、
前記下板部の中央部には前記伝熱用開口が設けられ、またその外周部には前記透光用開口が複数設けられており、前記載置手段は前記加温照明装置本体の前記開口に配設され、前記係止部は前記加温照明装置本体の前記開口に着脱自在に係止されることを特徴とする請求項２に記載の加温照明装置。
【請求項４】
前記載置手段は、上板部と、前記上板部の外周部より下方に向かって延びる周壁部と、から構成されており、
前記上板部の中央部には前記伝熱用開口が設けられ、またその外周部には前記透光用開口が複数設けられており、
前記載置手段は前記加温照明装置本体の内部に配設され、前記周壁部は、前記加温照明装置本体の内側部の一部又は全部を覆っており、前記電球からの熱の一部は前記周壁部にて反射され、この反射された熱が前記飲食料用容器に伝達されることを特徴とする請求項２に記載の加温照明装置。
【請求項５】
前記伝熱用開口の直径は３５〜４５ｍｍに構成され、また前記透光用開口の直径は７〜９ｍｍに構成されていることを特徴とする請求項２〜４のいずれかに記載の加温照明装置。
【請求項６】
前記電球の下方には熱反射板が設けられており、前記電球からの熱の一部は、前記熱反射板にて上方に向かって反射され、この反射された熱が前記飲食料用容器に伝達されることを特徴とする請求項１〜５のいずれかに記載の加温照明装置。
【請求項７】
前記加温照明装置本体は、透明又は半透明の樹脂部材から形成されていることを特徴とする請求項１〜６のいずれかに記載の加温照明装置。
【請求項８】
前記電球は、実質上水平方向に配設されていることを特徴とする請求項１〜７のいずれかに記載の加温照明装置。
【請求項９】
前記載置手段には筒部材が設けられており、前記飲食料用容器の底部の周囲は、前記筒部材によって覆われることを特徴とする請求項１〜８のいずれかの記載の加温照明装置。
【考案の詳細な説明】
【技術分野】
【０００１】
本考案は、室内のインテリア性を高めるための加温照明装置に関する。
【背景技術】
【０００２】
従来より、室内のインテリア性を高めるための照明装置が広く利用に供されている（例えば、特許文献１参照）。この照明装置は、例えば電球などから構成される光源と、光源からの光を反射させるための反射板と、光源及び反射板を覆う蛍光カバーと、を備えている。光源からの光は反射板にて反射され、この反射光が蛍光カバーを透過することにより、各種の発光色を有する光が外部に向けて照明されるようになり、例えば室内の消灯時などにおいてこの照明装置を鑑賞して楽しむことができる。
【０００３】
【特許文献１】実開平５−３１００７号公報
【考案の開示】
【考案が解決しようとする課題】
【０００４】
上述したような従来の照明装置では、光源が例えばワット数が２０Ｗの電球から構成されている場合には、光源の周囲温度は約６０℃程度まで上昇するようになるが、このように光源が発光される際に発生する熱エネルギーは有効に利用されることがないという問題がある。
【０００５】
本考案の目的は、電球が発光される際に発生する熱エネルギーを有効に利用することができる加温照明装置を提供することである。
【課題を解決するための手段】
【０００６】
本考案の請求項１に記載の加温照明装置では、開口を有する加温照明装置本体と、前記加温照明装置本体の内部に配設される電球と、前記加温照明装置本体の前記開口に取り付けられる透光カバー体と、前記透光カバー体の内側に収容される飲食料用容器を載置するための載置手段と、を備え、
前記載置手段には、前記電球からの光を通すための透光用開口が設けられており、前記電球からの光は、前記透光用開口を通して下方から上方に向けて照射され、また前記電球からの熱は、前記載置手段を介して前記飲食料用容器に伝達されることを特徴とする。
【０００７】
また、本考案の請求項２に記載の加温照明装置では、前記載置手段には、前記電球からの熱を通すための伝熱用開口が設けられ、前記伝熱用開口の周囲には、前記透光用開口が複数配設されており、
前記電球からの熱は、前記伝熱用開口を通して前記飲食料用容器に直接的に伝達されることを特徴とする。
【０００８】
さらに、本考案の請求項３に記載の加温照明装置では、前記載置手段は、下板部と、前記下板部の外周部より上方に向かって延びる周壁部と、前記周壁部の上端部より径方向外方に延びる係止部と、から構成されており、
前記下板部の中央部には前記伝熱用開口が設けられ、またその外周部には前記透光用開口が複数設けられており、前記載置手段は前記加温照明装置本体の前記開口に配設され、前記係止部は前記加温照明装置本体の前記開口に着脱自在に係止されることを特徴とする。
【０００９】
また、本考案の請求項４に記載の加温照明装置では、前記載置手段は、上板部と、前記上板部の外周部より下方に向かって延びる周壁部と、から構成されており、
前記上板部の中央部には前記伝熱用開口が設けられ、またその外周部には前記透光用開口が複数設けられており、
前記載置手段は前記加温照明装置本体の内部に配設され、前記周壁部は、前記加温照明装置本体の内側部の一部又は全部を覆っており、前記電球からの熱の一部は前記周壁部にて反射され、この反射された熱が前記飲食料用容器に伝達されることを特徴とする。
【００１０】
さらに、本考案の請求項５に記載の加温照明装置では、前記伝熱用開口の直径は３５〜４５ｍｍに構成され、また前記透光用開口の直径は７〜９ｍｍに構成されていることを特徴とする。
【００１１】
また、本考案の請求項６に記載の加温照明装置では、前記電球の下方には熱反射板が設けられており、前記電球からの熱の一部は、前記熱反射板にて上方に向かって反射され、この反射された熱が前記飲食料用容器に伝達されることを特徴とする。
【００１２】
さらに、本考案の請求項７に記載の加温照明装置では、前記加温照明装置本体は、透明又は半透明の樹脂部材から形成されていることを特徴とする。
また、本考案の請求項８に記載の加温照明装置では、前記電球は、実質上水平方向に配設されていることを特徴とする。
【００１３】
さらに、本考案の請求項９に記載の加温照明装置では、前記載置手段には筒部材が設けられており、前記飲食料用容器の底部の周囲は、前記筒部材によって覆われることを特徴とする。
【考案の効果】
【００１４】
本考案の請求項１に記載の加温照明装置によれば、飲食料用容器を載置するための載置手段には、電球からの光を通すための透光用開口が設けられているので、電球からの光は、透光用開口を通して下方から上方に向けて照射され、この光が飲食料用容器の例えば周囲などを照明するようになり、高いインテリア性を得ることが可能となる。また、電球からの熱は、載置手段を介して飲食料用容器に伝達されるので、電球からの熱によって飲食料用容器内の飲食料を加温することができ、電球が発光される際に発生する熱エネルギーを無駄なく有効に利用することが可能となる。
【００１５】
また、本考案の請求項２に記載の加温照明装置によれば、載置手段には、電球からの熱を通すための伝熱用開口が設けられているので、電球からの熱は、伝熱用開口を通して飲食料用容器に直接的に伝達されるようになり、電球からの熱を効率的に飲食料用容器に伝達させることが可能となる。また、伝熱用開口の周囲には透光用開口が複数配設されているので、電球からの光は、これら複数の透光用開口を通して飲食料用容器の周囲を照明するようになり、高いインテリア性を得ることが可能となる。
【００１６】
さらに、本考案の請求項３に記載の加温照明装置によれば、載置手段の下板部の中央部には伝熱用開口が設けられているので、電球からの熱は、伝達用開口を通して飲食料用容器に直接的に伝達されるようになり、電球からの熱を飲食料用容器に効率的に伝達させることが可能となる。また、載置手段の下板部の外周部には透光用開口が複数設けられているので、電球からの光は、これら複数の透光用開口を通して飲食料用容器の周囲を照明するようになり、高いインテリア性を得ることが可能となる。さらに、載置手段の係止部は加温照明装置本体の開口に着脱自在に係止されるので、載置手段を加温照明装置本体の開口に対して自在に着脱することができ、これにより例えば電球の交換などを容易に行うことが可能となる。
【００１７】
また、本考案の請求項４に記載の加温照明装置によれば、載置手段の上板部の中央部には伝熱用開口が設けられ、またその外周部には透光用開口が複数設けられているので、電球からの熱を飲食料用容器に効率的に伝達させることができるとともに、飲食料用容器の周囲が照明されることにより高いインテリア性を得ることが可能となる。また、載置手段の周壁部は、加温照明装置本体の内側部の一部又は全部を覆っており、電球からの熱の一部はこの周壁部にて反射され、この反射された熱が飲食料用容器に伝達されるので、電球からの熱をより効率的に飲食料用容器に伝達させることができ、電球が発光される際に発生する熱エネルギーをより有効に利用することが可能となる。
【００１８】
さらに、本考案の請求項５に記載の加温照明装置によれば、伝熱用開口の直径は３５〜４５ｍｍに構成されているので、電球からの熱を効率的に飲食料用容器に伝達させることができ、最適な温度でもって飲食料用容器内の飲食料を加温することが可能となる。また、透光用開口の直径は７〜９ｍｍに構成されているので、電球からの光を効率的に飲食料用容器の周囲に照明させることができ、最適な光の照度でもって飲食料用容器の周囲を照明すること可能となる。
【００１９】
また、本考案の請求項６に記載の加温照明装置によれば、電球の下方には熱反射板が設けられ、電球からの熱の一部は熱反射板にて上方に向かって反射され、この反射された熱が飲食料用容器に伝達されるので、電球からの熱をより効率的に飲食料用容器に伝達させることができ、電球が発光される際に発生する熱エネルギーをより有効に利用することが可能となる。
【００２０】
さらに、本考案の請求項７に記載の加温照明装置によれば、加温照明装置本体は、透明又は半透明の樹脂部材から形成されているので、電球からの光が加温照明装置本体の側部を透過して外部に向けて照明されるようになり、より高いインテリア性を得ることが可能となる。また、樹脂部材は熱伝導率が低いという性質を有しているので、電球からの熱が加温照明装置本体の外部に放熱されるのを防止することができ、電球からの熱をより効率的に飲食料用容器に伝達させることが可能となる。
【００２１】
また、本考案の請求項８に記載の加温照明装置によれば、電球は、実質上水平方向に配設されているので、電球のうち最も温度の高い部位を飲食料用容器に近接させることができ、これにより電球からの熱が飲食料用容器に伝達される際の熱効率を高めることが可能となる。また、加温照明装置の高さを低く抑えることができ、これにより飲食料用容器が転倒するのを防止することが可能となる。
【００２２】
さらに、本考案の請求項９に記載の加温照明装置によれば、載置手段には筒部材が設けられており、飲食料用容器の底部の周囲は筒部材によって覆われるので、飲食料用容器に伝達された電球からの熱が、飲食料用容器の底部と筒部材との間の空間に籠もるようになり、これにより飲食料用容器の保温性を高めることが可能となる。
【考案を実施するための最良の形態】
【００２３】
以下、添付図面を参照して、本考案に従う加温照明装置の各種実施形態について説明する。
第１の実施形態
まず、図１〜図３を参照して、第１の実施形態の加温照明装置について説明する。図１は、本考案の第１の実施形態による加温照明装置を示す概略斜視図であり、図２は、図１の加温照明装置の概略断面図であり、図３は、図２の載置手段を示す平面図である。
【００２４】
図１〜図３において、図示の加温照明装置２は、開口４を有する加温照明装置本体６と、加温照明装置本体６の内部に配設される電球８と、加温照明装置本体６の開口４に取り付けられる透光カバー体１０と、透光カバー体１０の内側に収容される飲食料用容器１２を載置するための載置手段１４と、を備えている。以下、これら各構成要素について説明する。
【００２５】
加温照明装置本体６は、その一端部（図２において上側の端部）に開口４を有する円形状の容器状に構成され、例えばポリプロピレンなどの透明又は半透明の樹脂部材から形成されている。加温照明装置本体６の一端部における外側部には環状凹部１６（後述する）が設けられ、また加温照明装置本体６の内側部にはソケット体１８が取り付けられており、このソケット体１８は、電球８の口金部２０（後述する）が装着される装着部２２と、装着部２２と電気的に接続される一対の端子部２４と、を有している。端子部２４には電力ケーブル２６の一端部が電気的に接続され、さらにこの電力ケーブル２６の他端部は、加温照明装置本体６の側部４４に設けた円形状の挿通用開口２８を通して外部の商用電源（図示せず）に電気的に接続されており、商用電源からの例えばＡＣ１００Ｖ，６０Ｈｚ（又は、５０Ｈｚ）の商用電力が電力ケーブル２６及び端子部２４を介して装着部２２に供給される。また、加温照明装置本体６の内底部には、例えばステンレスや鉄などから形成される円盤状の熱反射板３０が取り付けられ、この熱反射板３０の外径は、加温照明装置本体６の側部４４の内径よりも僅かに小さく構成されており、これにより加温照明装置本体６の内底部の大部分は熱反射板３０により覆われるようになる。
【００２６】
電球８は、例えばワット数が５Ｗの白熱電球から構成され、例えば青色に着色されたガラス管部３２と、商用電力が供給される口金部２０と、を有している。電球８の口金部２０はソケット体１８の装着部２２に着脱自在に装着され、このように電球８がソケット体１８に装着されると、電球８は実質上水平方向（図２において左右方向）に配設されるようになり、これにより加温照明装置本体６の高さ（すなわち、加温照明装置２の高さ）が低く抑えられ、後述するように載置手段１４に載置した飲食料用容器１２が転倒するのを防止することが可能となる。また、電球８のガラス管部３２は加温照明装置本体６の内部空間３４の中央部に配設され、またガラス管部３２の下方には上述した熱反射板３０が配設される。
【００２７】
透光カバー体１０は、その一端部（図２において下側の端部）に開口を有する円形状の容器状に構成されており、その内側には飲食料用容器１２が収容される収容空間３６が形成されている。この透光カバー体６は、透明又は半透明の例えばアクリルなどの樹脂やガラスなどから形成されており、その側部の内径は、加温照明装置本体６の一端部における外径よりも僅かに大きく構成されている。透光カバー体１０の一端部は加温照明装置本体６の一端部の環状凹部１６に装着され、これにより透光カバー体１０は、加温照明装置本体６の開口４に着脱自在に取り付けられる。
【００２８】
載置手段１４は、円形状の下板部３８と、下板部３８の外周部より上方（図２において上方）に向かって延びる円筒状の周壁部４０と、周壁部４０の上端部より径方向外方に向かって延びる円環状の係止部４２と、から構成されている。載置手段１４の周壁部４０の外径は、加温照明装置本体６の側部４４の内径よりも僅かに小さく構成され、またその高さは、加温照明装置本体６の開口４（開口端面）とソケット体１８の上端部との間の距離よりも小さく構成されている。載置手段１４の下板部３８の中央部には、電球８からの熱を通すための円形状の伝熱用開口４６が設けられ、またその外周部には、円形状の複数（本実施形態では、１６個）の透光用開口４８が周方向に所定の間隔を置いて設けられており、これにより伝熱用開口４６の周囲には複数の透光用開口４８が配設されることとなる（図３参照）。伝熱用開口４６の直径は３５ｍｍ〜４５ｍｍに構成するのが好ましく、このような大きさの直径に構成することにより、後述するように電球８からの熱を効率的に飲食料用容器１２に伝達させることができ、最適な温度でもって飲食料用容器１２内の飲食料を加温することが可能となる。また、透光用開口４８の直径は７〜９ｍｍに構成するのが好ましく、このような大きさの直径に構成することにより、後述するように電球８からの光を効率的に飲食料用容器１２の周囲に照明させることができ、最適な光の照度でもって飲食料用容器１２の周囲を照明することが可能となる。なお、載置手段１４は、例えばステンレスや鉄などの熱伝導率の高い金属から構成することが好ましい。
【００２９】
載置手段１４の周壁部４０は、加温照明装置本体６の開口４よりその内部に挿入され、載置手段１４の係止部４２が加温照明装置本体６の開口４（開口端面）に着脱自在に係止されることにより、載置手段１４が加温照明装置本体６の開口４に着脱自在に取り付けられる。したがって、例えば電球８の交換などを行う際には、載置手段１４を加温照明装置本体６の開口４より取り外せばよい。このように載置手段１４が加温照明装置本体６の開口４に取り付けられた状態において、載置手段１４の下板部３８は電球８の上方に配設され、伝熱用開口４６は電球８のガラス管部３２の上方に配設される。
【００３０】
以上のようにして構成された加温照明装置２の使用方法について説明する。まず、透光カバー体１０を加温照明装置本体６の開口４より取り外し、飲食料（本実施形態では、ミルク）の入った飲食料用容器１２（本実施形態では、哺乳瓶）を載置手段１４の下板部３８に載置する。そして、透光カバー体１０を再び加温照明装置本体６の開口４に取り付けることにより、飲食料用容器１２が透光カバー体１０の内側の収容空間３６に収容される。このように飲食料用容器１２が載置手段１４に載置された状態において、飲食料用容器１２の底部５０は伝熱用開口４６を完全に覆うようになり、またその周囲には複数の透光用開口４８が配設されるようになる（図３参照）。このような状態において、商用電源からの例えばＡＣ１００Ｖ，６０Ｈｚ（又は、５０Ｈｚ）の商用電力が電力ケーブル２６、端子部２４及び装着部２２を介して電球８の口金部２０に供給されると、電球８（ガラス管部３２）が例えば青色に発光されるようになり、電球８からの光の大部分は、加温照明装置本体６の側部４４を透過して外部に向けて照明され、これにより加温照明装置本体６の側部４４より例えば青色の光が照明されるようになる。また電球８からの光の一部は、載置手段１４に設けられた複数の透光用開口４８を通して下方から上方に向けて照射され、これにより飲食料用容器１２の周囲が例えば青色に照明されるようになる。
【００３１】
また、このように電球が発光されると、電球８（ガラス管部３２）が発熱されて周囲に熱が放出されるようになり、この電球８からの熱の大部分は、伝熱用開口４６を通して飲食料用容器１２の底部５０に直接的に伝達されるとともに、載置手段１４の下板部３８を介して飲食料用容器１２の底部５０に間接的に伝達される。電球８からの熱の一部は、電球８の下方に配設された熱反射板３０にて上方（図２において上方）に向かって反射され、この反射された熱が、上述したのと同様に伝熱用開口４６を通して飲食料用容器１２の底部５０に直接的に伝達されるとともに、載置手段１４の下板部３８を介して飲食料用容器１２の底部５０に間接的に伝達される。このように電球８からの熱が飲食料用容器１２の底部５０に伝達されると、この熱が飲食料用容器１２内の飲食料に更に伝達され、これにより飲食料用容器１２内の飲食料が加温されるようになる。
【００３２】
第１の実施形態の加温照明装置２では、次のような作用効果が達成される。電球８からの光は、上述したように加温照明装置本体６の側部４４を透過して外部に向けて照明されるとともに、複数の透光用開口４８を通して下方から上方に向けて照射されるので、加温照明装置本体６の側部４４より例えば青色の光が照明されるとともに、飲食料用容器１２の周囲が例えば青色に照明され、これにより高いインテリア性を得ることが可能となり、例えば室内の消灯時などにおいてこの加温照明装置２を鑑賞して楽しむことができる。また電球８からの熱は、上述したようにして飲食料用容器１２の底部５０に伝達され、この伝達された熱によって飲食料用容器１２内の飲食料が加温されるので、電球８が発光された際に発生する電球からの熱エネルギーを無駄なく有効に利用することが可能となる。なお、上述したように電球８は実質上水平方向に配設されているので、電球８のガラス管部３２のうち、最も温度の高い部位（ガラス管部３２の中央部）が飲食料用容器１２の底部５０に近接され、これにより電球８からの熱が飲食料用容器１２に伝達される際の熱効率を高めることが可能となる。また、加温照明装置本体６は樹脂部材から形成されており、この樹脂部材は熱伝導率が低いという性質を有しているので、電球８からの熱が加温照明装置本体６の外部に放熱されるのを防止することができ、電球８からの熱をより効率的に飲食料用容器１２に伝達させることが可能となる。
【００３３】
なお、電球８のワット数は用途などに応じて適宜設定することができ、例えば、本実施形態のようにワット数が５Ｗの電球８を使用した場合には、電球８の周囲温度は約３５〜４０℃程度まで上昇するようになるので、飲食料としてのミルクを約３〜４時間程度加温することにより、ミルクの温度を乳児に与えるのに最適な温度まで上昇させることができる。また、例えばワット数が２０Ｗの電球８を使用した場合には、電球８の周囲温度は約６０℃程度まで上昇するようになるので、飲食料としてのミルクを約３０分〜１時間程度加温することにより、ミルクの温度を乳児に与えるのに最適な温度まで上昇させることができ、また加温時間を増大させる（例えば、約４〜５時間程度）ことにより、例えば飲料用缶などの飲食料用容器内の飲食料は比較的高温でもって（約５０〜５５℃程度）加温されるようになる。
【００３４】
また、本実施形態では、青色に発光する電球８を使用するように構成したが、これに限られず、例えば赤色、黄色又は白色など、その発光色は適宜設定することができる。白色に発光する電球を使用する場合には、加温照明装置本体６の側部４４を例えば青色や赤色など適宜の色に着色するようにしてもよく、これにより電球からの光が加温照明装置本体６の側部４４を透過した際に、青色や赤色などの発光色を有する光が加温照明装置本体６の側部４４より外部に向けて照明されるようになる。
【００３５】
第２の実施形態
次に、図４を参照して、加温照明装置の第２の実施形態について説明する。図４は、本考案の第２の実施形態による加温照明装置の概略断面図である。なお、以下の実施形態において、第１の実施形態の構成要素と同一の構成要素には同一の符号を付し、その説明を省略する。
【００３６】
第２の実施形態の加温照明装置２Ａでは、載置手段１４の下板部３８の上側面には円筒状の筒部材５２が設けられており、この筒部材５２は、載置手段１４の下板部３８より上方（図４において上方）に向かって延びている。筒部材５２の外径は、伝熱用開口４６の直径よりも大きく構成され、また筒部材５２の下端部の周囲には複数の透光用開口４８が配設される。なお、筒部材５２と載置手段１４とは一体に構成してもよく、あるいは、これらを別体に構成するようにしてもよい。
【００３７】
以上のようにして構成された加温照明装置２Ａでは、次のような作用効果が達成される。飲食料用容器１２Ａ（本実施形態では、徳利）を載置手段１４の下板部３８に載置すると、飲食料用容器１２Ａの底部５０Ａの周囲が筒部材５２により覆われるようになる。これによって、伝熱用開口４６を通して飲食料用容器１２Ａの底部５０Ａに伝達された電球８からの熱が筒部材５２と飲食料用容器１２Ａの底部５０Ａとの間の空間５４に籠もるようになり、この籠もった熱でもって飲食料用容器１２Ａの底部５０Ａを更に加温することができるので、飲食料用容器１２Ａの保温性及び加温性を高めることが可能となる。また、電球８からの光の一部は、複数の透光用開口４８を通して筒部材５２及び飲食料用容器１２Ａの周囲を照明するようになり、上述したのと同様の作用効果が達成される。
【００３８】
第３の実施形態
次に、図５及び図６を参照して、加温照明装置の第３の実施形態について説明する。図５は、本考案の第３の実施形態による加温照明装置の概略断面図であり、図６は、図５の載置手段を示す概略斜視図である。
【００３９】
第３の実施形態の加温照明装置２Ｂでは、載置手段１４Ｂは、円形状の上板部５６と、上板部５６の外周部より下方（図５において下方）に向かって延びる円筒状の周壁部５８と、を有している。載置手段１４Ｂの上板部５６の中央部には伝熱用開口４６Ｂが設けられ、またその外周部には、複数（本実施形態では、１２個）の透光用開口４８Ｂが周方向に所定の間隔を置いて設けられている。また、載置手段１４Ｂの周壁部５８には、その下端部より上端部近傍にかけて、矩形状の切欠き部６０が設けられている（図６参照）。載置手段１４Ｂの周壁部５８の外径は、加温照明装置本体６の側部４４の内径よりも僅かに小さく構成されており、またその高さは、加温照明装置本体６の側部４４の高さよりも小さく構成されている。なお、載置手段１４Ｂは、上述した実施形態と同様、例えばステンレスや鉄などの熱伝導率の高い金属から構成することが好ましい。
【００４０】
載置手段１４Ｂの周壁部５８は、加温照明装置本体６の開口４よりその内部に挿入され、周壁部５８の下端部は加温照明装置本体６の内底部に当接され、また上板部５６は加温照明装置本体６の開口４よりもやや下方に配設される。切欠き部６０の内側にはソケット体１８が配設され、載置手段１４Ｂの周壁部５８は、加温照明装置本体６の内側部の大部分を覆うようになる。
【００４１】
以上のようにして構成された加温照明装置２Ｂでは、電球８からの熱の一部は、載置手段１４Ｂの周壁部５８によって反射され、この反射された熱は、上方へ移動して伝熱用開口４６Ｂを通して飲食料用容器１２Ｂ（本実施形態では、飲料用缶）の底部５０Ｂに直接的に伝達され、これによって、電球８からの熱をより効率的に飲食料用容器１２Ｂに伝達させることが可能となる。
【００４２】
なお、載置手段１４Ｂの周壁部５８に複数の照明用開口（図示せず）を設けるようにしてもよく、これにより電球８からの光の一部が、これら複数の照明用開口を通して加温照明装置本体６の側部４４を透過し、加温照明装置本体６の側部４４より光が外部に向けて照明されるようになる。あるいは、載置手段１４Ｂの周壁部５８の内側面に鏡面性を付与して反射面を形成するようにしてもよく、この場合には、電球８からの光がこの反射面にて反射され、この反射された光が複数の透光用開口４８Ｂを通して飲食料用容器１２Ｂの周囲を照明するようになり、電球８からの光を効率よく飲食料用容器１２Ｂの周囲に照明させることが可能となる。
【００４３】
以上、本考案に従う加温照明装置の種々の実施形態について説明したが、本考案はかかる実施形態に限定されるものではなく、本考案の範囲を逸脱することなく種々の変形乃至修正が可能である。
【００４４】
例えば、上記各実施形態では、電球８を１個のみ用いるように構成したが、これに限られず、ソケット体１８を加温照明装置本体６の内側部に複数個取り付けることによって、複数の電球８を加温照明装置本体６の内部に配設するようにしてもよい。このように電球８を複数用いることによって、より大きな熱エネルギーでもって飲食料用容器１２（１２Ａ，１２Ｂ）内の飲食料を加温させることが可能となる。
【００４５】
また例えば、上記各実施形態では、載置手段１４（１４Ｂ）に伝熱用開口４６（４６Ｂ）を設けるようにしたが、この伝熱用開口４６（４６Ｂ）を省略するように構成してもよく、この場合には、電球８からの熱は、載置手段１４（１４Ｂ）の下板部３８（又は、上板部５６）を介して飲食料用容器１２（１２Ａ，１２Ｂ）に間接的に伝達されるようになる。
【００４６】
また例えば、上記各実施形態では、飲食料用容器１２（１２Ａ，１２Ｂ）を哺乳瓶、徳利及び飲料用缶から構成したが、これに限られず、例えばグラスや湯飲み、あるいは食料の入った缶詰など、適宜の容器から構成することができる。
【００４７】
また例えば、熱反射板３０の上側面に鏡面性を付与して反射面を形成するようにしてもよく、これにより電球８からの光の一部がこの反射面にて上方に反射され、この反射された光が複数の透光用開口４８（４８Ｂ）を通して下方から上方に向けて照射されるようになり、電球８からの光をより効率的に飲食料用容器１２（１２Ａ，１２Ｂ）の周囲に照明させることが可能となる。あるいは、このような熱反射板３０を省略するようにしてもよい。
【００４８】
また例えば、透光カバー体１０の内側面にクリスタル状の凹凸を形成するようにしてもよく、これにより、透光用開口４８（４８Ｂ）を通して下方から上方に向けて照射される電球８からの光が、この凹凸によって乱反射され、より効果的な照明を行うことが可能となる。
【００４９】
また、飲食料用容器１２（１２Ａ，１２Ｂ）を載置手段１４（１４Ｂ）に載置することなく、単に室内のインテリア性を高めるためにこの加温照明装置２（２Ａ，２Ｂ）を使用するようにしてもよく、この場合には、電球８からの光は、伝熱用開口４６（４６Ｂ）及び複数の透光用開口４８（４８Ｂ）を通して下方より上方に照射され、この照射された光が透光カバー体１０を通して外部に照明されるようになる。また、本実施形態では、透光用開口４８（４８Ｂ）を１６個（１２個）設けるようにしたが、これに限られず、例えば１０個でも２０個でもよく、その数は適宜設定することができる。
【図面の簡単な説明】
【００５０】
【図１】本考案の第１の実施形態による加温照明装置を示す概略斜視図である。
【図２】図１の加温照明装置の概略断面図である。
【図３】図２の載置手段を示す平面図である。
【図４】本考案の第２の実施形態による加温照明装置の概略断面図である。
【図５】本考案の第３の実施形態による加温照明装置の概略断面図である。
【図６】図５の載置手段を示す概略斜視図である。
【符号の説明】
【００５１】
２，２Ａ，２Ｂ  加温照明装置
６  加温照明装置本体
８  電球
１０  透光カバー体
１２，１２Ａ，１２Ｂ  飲食料用容器
１４，１４Ｂ  載置手段
３０  熱反射板
４６，４６Ｂ  伝熱用開口
４８，４８Ｂ  透光用開口
【図１】
0003115595.tif 000003
【図２】
0003115595.tif 000004
【図３】
0003115595.tif 000005
【図４】
0003115595.tif 000006
【図５】
0003115595.tif 000007
【図６】
0003115595.tif 000008